(57)【特許請求の範囲】
【請求項１】
内腔を画定する内側表面、外側表面、第１の端部、第２の端部、および該内側表面と該外側表面との間に画定された厚さを有するステントであって、該厚さを貫通して延在する複数の開口部を有する前記ステントと、
該ステントの該外側表面上のポリマー・カバーであって、ベース、および微細パターンに配置された複数の付着要素からなり、該ベースが該ステントの少なくとも一部分を覆うポリマー・カバーと、
を備え、
各付着要素は、該ポリマー・カバーの該ベースの外側表面におけるベース端部から該外側表面と反対側の先端部に向かって外方に延びる切頭円錐であり、前記先端部は、前記ベース端部から前記先端部までの高さが全体にわたって一様な環状縁を具備する凹状表面を画定しており、各付着要素は、該ベース端部において第１の幅を有し、該先端部において第２の幅を有し、前記第２の幅は、前記第１の幅よりも広く、各付着要素の外側壁は、該ベース端部から該先端部に向かい、該ベースに対して斜角をなして外方に延びており、前記切頭円錐と前記環状縁を具備する前記凹状表面とが複合した構造は、体内人工器官を内腔壁に対して付着するために当該付着要素と内腔壁との間に部分真空を生じさせるように構成された、体内人工器官。
【請求項２】
前記体内人工器官が、血管壁によって画定された内腔内で拡張したときに、該付着要素の微細パターンが、該血管壁と前記体内人工器官との間に所望のかみ合いを生じさせる力を加える、請求項１に記載の体内人工器官。
【請求項３】
前記第２の幅は、５０μｍから５００μｍであり、該ベース端部から該先端部までの高さは、該第２の幅の２０％から５０％であり、および、前記凹状表面は、該第２の幅の１０％から２０％である深さを有し、かつ、前記斜角は、３０度から７５度である、請求項１に記載の体内人工器官。
【請求項４】
前記ポリマー・カバーの前記ベースの前記外側表面から内方に延在する追加の付着要素をさらに備える、請求項１に記載の体内人工器官。
【請求項５】
前記ポリマー・カバーの前記ベースの前記外側表面から内方に延在する前記追加の付着要素が、クレータおよび細孔からなる群から選択される、請求項４に記載の体内人工器官。
【請求項６】
前記微細パターンが、格子パターン、矩形アレイ、ｎを３以上の自然数とする正ｎ角形アレイ、螺旋形、およびそれらの組み合わせからなる群から選択される、請求項１に記載の体内人工器官。
【請求項７】
前記ポリマー・カバーがシリコーンからなる、請求項１に記載の体内人工器官。
【請求項８】
前記複数の付着要素の間隔が一様である、請求項１に記載の体内人工器官。
【請求項９】
前記ポリマー・カバーが、前記ステントの前記外側表面のまわりに螺旋状に巻き付けられるストリップである、請求項１に記載の体内人工器官。
【請求項１０】
前記ポリマー・カバーが、前記ステントの長手方向長さに等しい長手方向長さを有する管状のものである、請求項１に記載の体内人工器官。
【請求項１１】
遠位端部に回収要素をさらに含む、請求項１に記載の体内人工器官。
【請求項１２】
前記ポリマー・カバーが、前記ステントの該外側表面に接着されている請求項１に記載の体内人工器官。
【請求項１３】
体内人工器官を製造する方法であって、
ポリマー・カバーを形成する工程であって、前記ポリマー・カバーは、ベースおよび微細パターンに配置された複数の付着要素を備え、前記付着要素は、該ポリマー・カバーの該ベースの外側表面におけるベース端部から該外側表面と反対側の先端部に向かって外方に延びる切頭円錐であり、前記先端部は、前記ベース端部から前記先端部までの高さが全体にわたって一様な環状縁を具備する凹状表面を画定しており、各付着要素は、該ベース端部において第１の幅を有し、該先端部において第２の幅を有し、前記第２の幅は、前記第１の幅よりも広く、各付着要素の外側壁は、該ベース端部から該先端部に向かい、該ベースに対して斜角をなして外方に延びており、前記切頭円錐と前記環状縁を具備する前記凹状表面とが複合した構造は、体内人工器官を内腔壁に対して付着するために当該付着要素と内腔壁との間に部分真空を生じさせるように構成されているものである、前記ポリマー・カバーを形成する工程と、
内腔を画定する内側表面、および外側表面を有するステントを用意する工程と、
該ポリマー・カバーの該ベースを該ステントの該外側表面に接着する工程と、
からなる方法。
【請求項１４】
前記ポリマー・カバーが、前記微細パターンを反転したものを有する型を使用し、該型にポリマー材料を注入して形成される、請求項１３に記載の方法。
【請求項１５】
前記ベースの表面および前記ステントの前記外側表面のうちの少なくとも１つに接着層が取り付けられる、請求項１３に記載の方法。
【請求項１６】
前記付着要素が、内方延在付着要素をさらに備える、請求項１３に記載の方法。
【発明の詳細な説明】
【技術分野】
【０００１】
本発明は体内管腔内に導入される体内人工器官およびその製造方法に関する。
【背景技術】
【０００２】
ステントは体内管腔内に導入される医療装置であり、当技術分野ではよく知られている。ステントは、非拡張状態で体内管腔内の所望の部位に送達され、次いで自己拡張するかまたは内部の径方向の力によって拡張され得る。以下でまとめてステントと呼ばれるステント、グラフト、ステント−グラフト、大動脈フィルタ、拡張可能な骨組み、および類似の植込み型医療装置は、半径方向に拡張するまたは拡張可能な体内人工器官に含まれ、そのような体内人工器官は、経腔的に植込み可能な管腔内インプラントとして用いられている。
【０００３】
消化管ステントは、様々な範囲の悪性疾患および非悪性疾患を患っている患者を治療するために使用されてきた。例えば、食道ステントが、食道癌の治療に関連付けられてきた。食道ステントはまた、食道を詰まらせるように成長する非食道腫瘍からもたらされる症状を軽減するため、ならびに、難治性狭窄症、瘻孔、および穿孔を含むがこれらに限定されない良性の食道疾患を治療するために、使用されてきた。これらの症例のいずれにおいても、食道ステントは、食道壁に対する機械的な支持を提供することができ、また、内腔の開存性を維持することができる。食道の構造、および蠕動などの条件により、食道ステントはステント移動（ｓｔｅｎｔ  ｍｉｇｒａｔｉｏｎ）を起こす傾向がある。
【０００４】
ステント移動のリスクを低下させる１つの方法は、ステントの地金部分を組織に対して露出させることであった。ステントの開放した編組構造は、ステント内への組織内殖を促進する足場を提供することができる。この組織内殖は、所定の位置へのステントの固定に役立つことができ、また、移動のリスクを低下させることができる。しかし、場合によっては、組織内殖は、内腔の再閉塞をもたらすことが知られている。加えて、組織内殖によって固定されたステントは、侵襲的処置なしでは、移動または除去することができない。組織内殖を抑えるために、ステントは、内腔と組織壁との間に物理的な障壁を作り出す被覆（例えば、ポリマー等で作成される）で覆われてきた。しかし、状況によっては、そのようなステントは、地金の相当物と比較して、許容できない移動発現度を有し得る。
【０００５】
ステント移動のリスクを低下させる別の方法は、フレア状ステント（ｆｌａｒｅｄ  ｓｔｅｎｔ）を使用することであった。しかし、フレア部を有するステントは、許容できない移動発現度を有し得る。
【０００６】
例えば向上された移動抵抗性、向上されたステント付着性、および／または向上された除去可能性を有する、改良されたステントが望まれている。従来のステントは、ステント自体に組み込まれた隆起または他の表面特徴を組み込んでいる（例えば、その全体を本願明細書に援用する特許文献１および特許文献２で論じられたものなど）。別のステントは、ステントの外側表面上に複数の表面突起を提供する（例えば、その全体を本願明細書に援用する、共有の特許文献３に記載されている）。
【０００７】
本開示の範囲を限定することなく、特許請求される実施形態のうちのいくつかの概要を以下に記載する。本開示の要約した実施形態および／または本開示の追加的な実施形態のさらなる詳細は、以下の発明を実施するための形態において見いだされ得る。本明細書における技術的な開示の簡単な要約書も提供する。要約書は、特許請求の範囲を解釈するために使用されることを意図したものではない。
【先行技術文献】
【特許文献】
【０００８】
【特許文献１】米国特許公開第２００６／００６９４２５号明細書
【特許文献２】米国特許公開第２００９／００６２９２７号明細書
【特許文献３】米国特許公開第２０１２／００３５７１５号明細書
【発明の概要】
【発明が解決しようとする課題】
【０００９】
本開示は、好ましくはポリマーによるカバーが、微細パターンに配置された複数の付着要素を有する、体内人工器官を提供する。本明細書で使用される場合、微細パターンは、規則的なまたは不規則な付着要素のアレイを含み得る。
【課題を解決するための手段】
【００１０】
少なくとも１つの実施形態では、拡張状態および収縮状態を有する体内人工器官が、その外側表面にポリマー・カバーを有したステントを含む。ステントは、内腔を画定する内側表面を有する。少なくとも１つの実施形態では、ステントはフレア状ステントである。ポリマー・カバーは、ベース、および付着要素を含む。いくつかの実施形態では、付着要素は、ベースの外側表面から外方に延在する（外方延在付着要素）。他の実施形態では、付着要素は、ベースの外側表面から内方に延在する（内方延在付着要素）。少なくとも１つの実施形態では、付着要素は、微細パターンに配置される。血管壁によって画定された内腔内で体内人工器官が拡張状態に拡張すると、付着要素は、血管壁と体内人工器官との間のかみ合いを生じさせる。
【００１１】
微細パターンは、格子パターン、矩形アレイ、正ｎ角形アレイ、螺旋形、およびそれらの組み合わせであり得る。微細パターンは、特定の植込み部位のために特別に設計されてもよい。例えば、付着要素の幅ｄ、数、および間隔ｓは、所望の装置固定の水準を達成するように選択することができる。少なくとも１つの実施形態では、微細パターンは、体内人工器官の少なくとも一部分に沿って存在する。少なくとも１つの実施形態では、微細パターンの付着要素は一様であり、または、微細パターンは、外方延在付着要素および内方延在付着要素で形成され得る。
【００１２】
少なくとも１つの実施形態では、体内人工器官は、例えば体内人工器官の遠位端部にある回収ループにより、回収可能である。いくつかの実施形態では、体内人工器官は、体内人工器官の近位端部にある回収ループおよび遠位端部にある回収ループにより、回収可能である。
【００１３】
体内人工器官の１実施形態を製造するいくつかの方法が提供される。１つの製造方法は、ベースおよび付着要素を含むポリマー・カバーを形成する工程と、内腔を画定する内側表面、および外側表面を有するステントを用意する工程と、ポリマー・カバーのベースをステントの外側表面に接着、固着、または接続する工程と、からなる。少なくとも１つの実施形態では、付着要素は、微細パターンに配置される。付着要素は、内方延在付着要素、外方延在付着要素、およびそれらの組み合わせであり得る。付着要素を有するポリマー・カバーは、微細パターンを反転したものを有する型を使用し、その型にポリマー材料を注入して形成され、また場合によっては、ポリマー材料が硬化する前に型に熱または圧力を加えるか、ソフト・リソグラフィ技法を使用するか、またはポリマー材料の層からポリマー・カバーをエッチングすることによって形成され得る。少なくとも１つの実施形態では、ベースの表面およびステントの外側表面のうちの少なくとも１つに接着層が取り付けられる。少なくとも１つの実施形態では、ポリマー・カバーは、管状構造として形成される。１つまたは複数の実施形態では、ポリマー・カバーは、ステントの外側表面のまわりに巻き付く（例えば、螺旋状に巻き付けられる、円周方向に巻き付けられる、不規則に巻き付けられる、等）ストリップに形成される。
【図面の簡単な説明】
【００１４】
【図１】本開示の体内人工器官実施形態の平面図。
【図２】図１に示された体内人工器官の断面図。
【図３】外方延在付着要素を含むポリマー・カバーの拡大図。
【図４】内方延在付着要素を含むポリマー・カバーの拡大図。
【図５Ａ】付着要素の側面図。
【図５Ｂ】図５Ａの付着要素の上面図。
【図６Ａ】例示的な微細パターンの図。
【図６Ｂ】例示的な微細パターンの図。
【図６Ｃ】例示的な微細パターンの図。
【図６Ｄ】例示的な微細パターンの図。
【図６Ｅ】例示的な微細パターンの図。
【図７】体内人工器官の１つの製造方法中のステントおよびポリマー・カバーの図。
【図８】体内人工器官の１つの製造方法中のステントおよびポリマー・カバーの図。
【図９Ａ（１）】付着要素を有するカバーの１実施形態を含むステントの法線方向力を示す図。
【図９Ａ（２）】付着要素を有するカバーの１実施形態を含むステントの法線方向力を示す図。
【図９Ｂ】付着要素を有するカバーの１実施形態を含むステントの剪断力を示す図。
【発明を実施するための形態】
【００１５】
本開示の主題は多くの異なる形態で具体化され得るが、本明細書では、本開示の特定の好ましい実施形態が詳細に説明される。この説明は、本開示の原理を例示するものであり、示された特定の実施形態に本開示を限定するように意図されたものではない。
【００１６】
本開示の目的のため、各図面中の同様の参照番号は、別段の指示がない限り、同様の特徴を意味する。
本開示は、医療装置に使用するための微細パターン付きポリマー・カバーに関する。いくつかの実施形態では、微細パターン付きポリマー・カバーは、特に、気管ステント、食道ステント、胆管ステント、および結腸ステントを含むがこれらに限定されない胃腸系または肺系で使用されるステントのような植込み型医療装置とともに利用されて、ステント移動を軽減するかまたは防止する。本出願で説明される体内人工器官は、心臓血管系、および身体の他の部分（例えば、任意の体内管腔）内でも使用され得る。
【００１７】
図１および２は、近位端部２２および遠位端部２４を含む体内人工器官２０を示す。体内人工器官２０は、拡張ステント４０、および拡張ステント４０の外側表面上のポリマー・カバー５０を含む。拡張ステント４０は、自己拡張型、バルーン拡張型、またはハイブリッド拡張型であってもよい。拡張ステント４０の実施形態は、一定の直径、テーパ、フレア、および／または他の直径の変化をその本体および／または一端もしくは両端に有するステントを企図する。拡張ステント４０は、内側表面４２、外側表面４４、近位端部４６、および遠位端部４８を有する。ポリマー・カバー５０は、外側表面４４の少なくとも一部分の周りに位置決めされる。
【００１８】
少なくとも１つの実施形態では、ポリマー・カバー５０は、実質的に拡張ステント４０の外側表面４４全体を覆う。他の実施形態では、ポリマー・カバー５０は、拡張ステント４０の外側表面４４の一部分を覆う。図２に示されるように、ポリマー・カバー５０は、拡張ステント４０の外側表面４４に直接接続されてもよい。１つまたは複数の実施形態では、ポリマー・カバー５０は、接着剤、またはカバーを装置に付着させる他の手段を使用して、拡張ステント４０の外側表面４４に接続され得る。少なくとも１つの実施形態では、ポリマー・カバーは、内側表面４２をも少なくとも部分的に覆う。少なくとも１つの実施形態では、部分的な被覆は、周囲および／または長さの部分的な被覆を含み得る。
【００１９】
少なくとも１つの実施形態では、ポリマー・カバー５０は、ベース５２、および複数の付着要素５４を含む。少なくとも１つの実施形態では、付着要素は、カバーのベースに継ぎ目なく組み込まれる。少なくとも１つの実施形態では、ベース５２は、拡張ステント４０と境界を共有する。「境界を共有する」が意味するのは、ポリマー・カバー５０のベース５２および拡張ステント４０が、同じ境界を有し、同じ領域を覆い、広がりの程度が同じであるということである。言い換えれば、拡張ステント４０およびベース５２は、それぞれ、第１の端部および第２の端部を有し、拡張ステント４０およびベース５２は、それらの第１の端部と第２の端部との間に延在し、拡張ステント４０の第１の端部は、ベース５２の第１の端部と同じであり、拡張ステント４０の第２の端部は、ベース５２の第２の端部と同じである。拡張ステント４０およびベース５２はそれらの第１の端部と第２の端部との間に延在するので、拡張ステント４０およびベース５２は、同じ境界を有し、同じ領域を覆い、広がりの程度が同じである。したがって、ベース５２および拡張ステント４０は、境界を共有する。したがって、拡張ステント４０およびベース５２は、少なくとも１つの実施形態では、境界を共有する。また、ベース５２は、少なくとも１つの実施形態では、管状である。
【００２０】
上で論じたように、少なくとも１つの実施形態では、ポリマー・カバーは、内側表面４２をも少なくとも部分的に覆う。それらの実施形態の場合、付着要素５４は、ポリマー・カバー５０のうちのステントの外側表面を少なくとも部分的に覆う部分のみを形成し、ポリマー・カバーのうちのステントの内側表面を覆う部分は形成しない。いくつかの実施形態では、本明細書で開示されるような体内人工器官は、複数の付着要素を含む外側表面と、付着要素を含まない内側表面とを有するものとして説明され得る。
【００２１】
本明細書で使用される場合、「付着要素」とは、植込み型体内人工器官を内腔壁に対して付着、安定化、固着、または固定するために部分真空を生じさせる構造である。本明細書において使用される場合、「部分真空」は、付着要素外部の圧力に対する付着要素内部の負のゲージ圧力を意味する。付着要素と内腔壁との間の部分真空は、吸着カップによって生じる部分真空に似ている。
【００２２】
理論に束縛されるものではないが、体内管腔内に配置された体内人工器官の拡張は、付着要素を内腔壁に係合させる半径方向力を提供し、付着要素と内腔壁との間の領域が減少することにより、部分真空が生じる。内腔壁に対接するステントによって生じる半径方向力の結果として、内腔壁との継続的な係合がもたらされる。植込み型体内人工器官の場合、付着要素が壁から係脱すると、周期的な半径方向蠕動力が付着要素を壁に再係合させ得る。さらに、付着要素と壁との間に蓄積するいかなる液体も、蠕動力により周期的に除去され得る。
【００２３】
以下でより詳細に論じられるように、カバー５０は、例えば図１〜３に示されるようなベース５２から外方に延在する付着要素５４（外方延在付着要素）、例えば図４に示されるようなベース５２から内方に延在する付着要素５４（内方延在付着要素）、および、外方延在付着要素と内方延在付着要素の組み合わせ（図示せず）を含むことができる。
外方延在付着要素
上で論じたように、いくつかの実施形態では、付着要素５４は、外方延在付着要素５４ａである。各外方延在付着要素５４ａは、ベースの外側表面から半径方向外方に延在する。少なくとも１つの実施形態では、外方延在付着要素は、ベース５２の外側表面からある角度で、例えば垂直に延在する（例えば、図３）。
【００２４】
例えば図５Ａおよび５Ｂに示されるように、各外方延在付着要素５４ａは、凹状端部５８を含む切頭円錐である。簡潔さのために、図面のうちのいくつかは切頭円錐の端部における凹面を示していないが、この実施形態の各切頭円錐が凹状端部５８を有することに留意されたい。理論に束縛されるものではないが、切頭円錐であり凹状端部を有する付着要素は、内腔壁とともに部分真空を生じさせることができる。
【００２５】
各外方延在付着要素５４ａは、ベース５２の外側表面と付着要素の端部５８との間の最大距離である高さｈ、および、付着要素の側面５９の対向した点などの付着要素の２つの対点間の最大距離である幅ｄを有する。円形の外方延在付着要素、例えば切頭円錐の場合、幅ｄは直径である。図５Ａに示された外方延在付着要素５４ａの場合、２つの対点間の最大距離は、端部５８における直径（以下、端部直径）であり、付着要素の直径は、端部直径から、ポリマー・カバー５０のベース５２の外側表面において測定されるベース直径ｄｂまで、テーパが付いている。したがって、ベース直径ｄｂは、端部直径未満であり、外方延在付着要素の幅ｄは、端部直径に等しい。いくつかの実施形態では、外方延在付着要素の直径は、端部５８からポリマー・カバー５０のベース５２の外側表面まで連続的に減少する。
【００２６】
少なくとも１つの実施形態では、外方延在付着要素５４ａの幅ｄは、５０μｍから５００μｍである。適切な幅ｄには、５０μｍ、９１．５μｍ、１００μｍ、１５０μｍ、２００μｍ、２５０μｍ、３００μｍ、３５０μｍ、４００μｍ、４５０μｍ、および５００μｍが含まれる。理論に束縛されるものではないが、より小さい幅ｄを有する外方延在付着要素がより良好な付着性能を提供することが期待される。
【００２７】
少なくとも１つの実施形態では、外方延在付着要素の幅ｄは、外方延在付着要素の高さｈよりも大きい。いくつかの実施形態では、外方延在付着要素５４ａは、幅ｄの２０〜５０％の高さｈを有する。５０μｍから５００μｍの範囲内の幅ｄを有する外方延在付着要素５４ａの場合、外方延在付着要素５４ａは、１０μｍから２５０μｍの範囲内の高さｈを有する。適切な高さｈの非限定的な例は、３４．２μｍである。外方延在付着要素５４ａの高さｈは体内人工器官の全体形状に影響を及ぼし、全体形状はひいては送達可能性に影響を及ぼし、小さい全体形状の方が大きい全体形状よりも向上された送達可能性を有することに、留意されたい。また、理論に束縛されるものではないが、外方延在付着要素の高さｈは、外方延在付着要素の付着に影響を及ぼし得る。
【００２８】
外方延在付着要素５４ａの端部５８における凹面は、端部５８と凹状表面の底との間の最大距離である深さδを有する。これは、例えば図５Ａに示される。凹状表面深さδは、外方延在付着要素５４ａの幅ｄの１０％から２０％の範囲におよび得る。５０μｍから５００μｍの範囲内の幅ｄを有する外方延在付着要素５４ａの場合、外方延在付着要素は、５μｍから１００μｍの凹状表面深さδを有する。凹状表面深さδはまた、外方延在付着要素５４ａの高さｈ未満である。理論に束縛されるものではないが、凹状表面深さは、外方延在付着要素の他の寸法、および外方延在付着要素を形成するために使用される材料の弾性（デュロメータ）の影響を受ける。
【００２９】
図５Ａに示されるように、切頭円錐の側面５９は、ベース５２の外側表面から角度θで延在する。少なくとも１つの実施形態では、角度θは、ベース５２の外側表面に対して斜角である。本明細書において使用される場合、「斜角」とは、非平行な角度、および非垂直な角度である。少なくとも１つの実施形態では、外方延在付着要素５４ａは、ポリマー・カバーのベースの外側表面に対して、３０度の最小角度θ、および７５度の最大角度θを有する。したがって、角度θの範囲は、３０〜７５度である。
【００３０】
少なくとも１つの実施形態では、外方延在付着要素は、５０μｍから５００μｍの範囲から選択された幅ｄ、幅ｄの２０〜５０％である高さｈ、幅ｄの１０〜２０％である凹状表面深さδ、および３０度から７５度までの範囲から選択された角度θを有する、切頭円錐である。
【００３１】
１つの実施形態では、外方延在付着要素は、９１．５μｍの幅ｄ、３４．２μｍの高さｈ、１２．４μｍの凹状表面深さδ、およびポリマー・カバーのベースの外側表面に対して６３．９°の角度θを有する、切頭円錐である。
内方延在付着要素
上で論じたように、いくつかの実施形態では、付着要素は内方に延在している。これは例えば図４に示され、図４は、２つのタイプの内方延在付着要素の例、すなわち、クレータ５４ｂの例と、細孔５４ｃの例とを示す。１つの実施形態では、内方延在付着要素は、円形の形状を有する。内方延在付着要素５４ｂ、５４ｃは、内方延在付着要素の側面５９の対向した点などの内方延在付着要素の２つの対点間の最大距離である幅ｄを有する。例えば図４に示されるような円形の内方延在付着要素の場合、幅ｄは直径である。内方延在付着要素５４ｂ、５４ｃに適した幅ｄの範囲は、１０μｍから１００μｍである。内方延在付着要素の適切な深さの範囲は、内方延在付着要素の幅ｄの２０〜５０％である。１０μｍから１００μｍの幅ｄを有する内方延在付着要素の場合、深さδは、２μｍから５０μｍである。
【００３２】
いくつかの実施形態では、内方延在付着要素５４ｂ、５４ｃは、ベースの外側表面における直径の方がベースの内側表面における直径よりも大きく、この場合、内方延在付着要素は、ベースの外側表面における直径に等しい幅ｄを有する。他の実施形態では、内方延在付着要素５４ｂ、５４ｃは、ベースの外側表面における直径の方がベースの内側表面における直径よりも小さく、この場合、内方延在付着要素は、ベースの内側表面における直径に等しい幅ｄを有する。
【００３３】
１つの実施形態では、内方延在付着要素は、ベース５２の厚さ未満の深さδを有するクレータ５４ｂである。クレータ５４ｂの例が、図４に示されている。各クレータ５４ｂは、壁５９を有し、壁５９は、ポリマー・カバー５０のベース５２の厚さｔ未満である深さδを有する凹面を画定する。上で論じたように、深さδは、クレータの幅ｄの１０〜２０％であり、１０μｍから１００μｍの幅ｄを有するクレータの場合、深さδは、２μｍから５０μｍになり、ベース５２の厚さｔは、深さδよりも大きい。各クレータは、ベースの外側表面から凹面の底まで可変の直径を有する。
【００３４】
別の実施形態では、内方延在付着要素は、例えば図４に示されるように、ベース５２の厚さｔに等しい深さを有する細孔５４ｃである。言い換えれば、細孔５４ｃは、ベースの外側表面にある開口部からベースの内側表面にある開口部まで延在する。少なくとも１つの実施形態では、細孔５４ｃの壁５９は、ベース５２に対して斜角で細孔５４ｃの中心５７に向かって延在して、細孔５４ｃの開口凹面を形成する。
【００３５】
少なくとも１つの実施形態では、植込み後しばらくすると、内方延在付着要素５４ｂ、５４ｃ内への組織内殖が生じる。クレータ５４ｂの場合、組織内殖は、体内人工器官の内腔内まで延在しないが、細孔５４ｃの場合、組織内殖は、体内人工器官の内腔内まで延在する。
【００３６】
理論に束縛されるものではないが、内腔壁と内方延在付着要素５４ｂ、５４ｃとの間の部分真空は、体内人工器官を短期的に安定させるのに役立つが、組織内殖は、体内人工器官の長期的な固着を提供するのに役立つ。組織内殖が生じた場合、固着の機構は、部分真空から組織内殖に変化する。組織内殖の量に応じて、内腔壁と内方延在付着要素との間に部分真空が存在する場合もあればそうでない場合もある。
微細パターンに配置された付着要素
少なくとも１つの実施形態では、図１および図６Ａ〜８に示されるように、複数の付着要素５４が、１つまたは複数の微細パターン７０に配置され得る。いくつかの実施形態では、カバーの微細パターンは、外方延在付着要素５４ａによってのみ形成される。１つの実施形態では、外方延在付着要素は、一様なサイズを有する。他の実施形態では、カバーの微細パターンは、内方延在付着要素５４ｂ、５４ｃによってのみ形成される。１つの実施形態では、内方延在付着要素は、一様なサイズを有する。なおもさらなる実施形態では、カバーの微細パターンは、外方延在付着要素５４ａおよび内方延在付着要素５４ｂ、５４ｃによって形成される。１つの実施形態では、外方延在付着要素は、一様なサイズを有し、内方延在付着要素は、一様なサイズを有する。例えば、カバーの１つの領域が、第１の微細パターンに配置された外方延在付着要素を有し、カバーの別の領域が、第２の微細パターンに配置された内方延在付着要素（図示せず）を有する。
【００３７】
理論に束縛されたくはないが、微細パターンは、体内人工器官と血管壁との間の係合またはかみ合いの強さに影響を及ぼし得る。同様に、微細パターンは、付着要素と組織との間の所望の係合またはかみ合いに依存する。この理由のために、少なくとも１つの実施形態では、特定の用途（例えば、植込み部位、生物組織、所望の組織係合特性、等）に適した微細パターンの幾何形状および寸法を有する、特定の微細構造が選択され得る。考慮すべき要因については、以下でより詳細に論じられる。
【００３８】
いくつかの実施形態では、ポリマー・カバーは、１つの微細パターンのみを有する。他の実施形態では、ポリマー・カバーは、複数の微細パターンを有する。したがって、ポリマー・カバーは、体内管腔（例えば、血管等）の固有の構造特徴に合わせることができ、単一の体内人工器官を使用して、所望の係合またはかみ合いを達成することができる。
【００３９】
少なくとも１つの実施形態では、微細パターンにおいて隣接する２つの付着要素５４が、隣接する２つの付着要素の中心５７間で測定された距離ｓだけ離間される（図３および４に示す）。したがって、間隔ｓは、付着要素の密集度に関連する。理論に束縛されるものではないが、所与の幅ｄに対して、微細パターン内での隣接する付着要素間の間隔ｓが狭くなるほど、法線方向における剥がし力（ｐｅｅｌ  ｏｆｆ  ｆｏｒｃｅ）が大きくなる。所与の幅ｄに対して、隣接する付着要素間の間隔が狭くなるほど、剪断方向における剥がし力が大きくなる。同じく理論に束縛されるものではないが、所与の幅ｄ、および微細パターン内の付着要素の間隔ｓに対して、法線方向における剥がし力は、剪断方向における剥がし力よりも大きい。少なくとも１つの実施形態では、間隔ｓは、１２０μｍ、１３０μｍ、１４０μｍ、または１５０μｍである。以下でより詳細に論じられるように、間隔ｓは、所望される付着の程度に応じて、付着要素の幅ｄ未満であるか、幅ｄに等しいか、または幅ｄよりも大きくてもよい。少なくとも１つの実施形態では、間隔ｓの幅ｄに対する比率は、約１．２である。
【００４０】
少なくとも１つの実施形態では、各付着要素は、微細パターン内で等距離に離間される。この実施形態では、付着要素の間隔ｓは、一様である。少なくとも１つの実施形態では、付着要素の微細パターン７０は、矩形アレイである（例えば、図３、図６Ｃ）。少なくとも１つの実施形態では、微細パターン７０は、格子パターンである（例えば、図６Ｃ、７におけるような正方形アレイ）。少なくとも１つの実施形態では、微細パターン７０は、正ｎ角形アレイ（例えば、図６Ｄ、６Ｅにおける６角形アレイ）であり、ここで、付着要素が多角形の中心に存在する場合（例えば、図６Ｃ、図６Ｄ、等）もあれば、付着要素が多角形の中心に存在しない場合（例えば、図６Ｅ）もある。言い換えれば、付着要素は、微細パターンにおいて横列および縦列に配置され、横列および縦列は、直角に交わる場合もあればそうでない場合もある。例えば、図６Ｃの微細パターン７０は、直角に交わる横列および縦列を含むが、図６Ｄおよび６Ｅの微細パターン７０は、直角に交わらない横列および縦列を含む。１つまたは複数の実施形態では、各付着要素が長手軸を有し、付着要素は、軸方向（例えば、ステントの長手軸に平行な横列に配置される）および体内人工器官の円周方向（例えば、ステントの長手軸の周りに円周方向に延在する横列に配置される）のうちの少なくとも１つに軸方向に整列される。少なくとも１つの実施形態では、付着要素の微細パターンは、この段落で説明された特徴のうちのいずれかまたは全てを含む。いくつかの実施形態では、図６Ａおよび６Ｂに示された実施形態と同様に、微細パターン７０は、ベース５２全体ではなく、ベース５２の一部分のみを覆い得る。言い換えれば、ベースの１つまたは複数の部分７２には、付着要素が存在しない。付着要素の微細パターン７０は、図６Ａに示されるようにベース５２上に螺旋状に配置される場合もある。１つまたは複数の実施形態では、図６Ｂに示されるように、第１の微細パターン７０が、ベース５２に沿って長手方向に配置され、第２の微細パターン７０が、付着要素を有さない部分７２を含んで「窓ガラス」様の構造を形成するように、ベースの周りに円周方向に配置され得る。図６Ｂに示されるように、横列に（例えば、ステントの長手軸に平行に）配置される付着要素は、連続した横列であるか、または、途切れた横列（例えば、間隔ｓよりも大きい寸法を有する間隙によって分離された、位置合わせされた横列セグメント）であってもよく、その場合、途切れの長さは、任意の長さ（例えば、寸法ｓの２倍以上）を有し得る。例えば、図６Ｂに示された実施形態は、途切れの長さが間隔ｓの５倍である、窓ガラスにわたって延在する途切れた横列（および、円周方向に配向された縦列）を示すが、図６Ｅに示された実施形態は、途切れの長さが間隔ｓの２倍である、途切れた横列（および、非垂直に配向された縦列）を示す。したがって、図６Ｂおよび６Ｅでは、付着要素の間隔ｓは、一様ではない。間隔ｓに関して、横列および／または縦列の途切れは、任意の長さ（例えば、少なくともｓの２倍、少なくともｓの５倍、少なくともｓの１０倍、少なくともｓの５０倍、少なくともｓの１００倍、少なくともｓの５００倍、少なくともｓの１０００倍、等）を有することができる。
【００４１】
いくつかの実施形態では、隣接する外方延在付着要素５４ａ同士の間隔ｓは、体内管の組織が外方延在付着要素間のネガティブ・スペース（例えば、空所）を埋めることができるように、十分な大きさである。これらの実施形態では、体内人工器官は、２つの機構、すなわち、外方延在付着要素と内腔壁との間の部分真空、および隣接する外方延在付着要素間の空間内への組織内殖により、血管壁に固着される。間隔ｓがあまりにも小さい場合、組織は外方延在付着要素間の空間を埋めることができない可能性がある。そのような場合、体内人工器官は、外方延在付着要素と内腔壁との間の部分真空によってのみ、血管壁に固着される。少なくとも１つの実施形態では、付着要素間の間隔ｓは、特定のタイプの体内管の組織に依存する（例えば、特定のタイプの体内間の組織に基づいて選択され得る）。
【００４２】
いくつかの実施形態では、１００〜１０００μｍの範囲内の外方延在付着要素のための間隔ｓが、組織内殖を提供する。少なくとも１つの実施形態では、付着要素は、不定の間隔ｓを有する。例えば、いくつかの実施形態では、体内人工器官の長手方向長さおよび／または周囲に沿った付着要素に対して、１００〜１０００μｍの間隔ｓの勾配が存在する。理論に束縛されるものではないが、間隔の勾配が組織内殖を促す。
力／移動に対する抵抗
【００４３】
体内管腔に植え込まれた体内人工器官は、当初の植込み部位から体内人工器官を移動させ得る力を受ける。上で論じたように、付着要素（外方延在付着要素および内方延在付着要素）は、部分真空によりこの力に抵抗する。図９Ａ（１）および９Ａ（２）は、法線方向力を示す。個々の付着要素５４に対する法線方向の力は、以下の式によって表される：
【数１】
0006446471.tif 000002
式中、ＡＡＥは、付着要素によって形成される凹面の面積であり（ｒ＝１／２ｄであるので、πｒ２＝πｄ２／４であることに留意されたい）、ΔＰは、付着要素と外部圧力との間の圧力差である。
【００４４】
いくつかの付着要素５４に対する法線方向における合力は、以下の式によって表される：
【数２】
0006446471.tif 000003
【００４５】
図９Ｂは、剪断力を示す。図からわかるように、剪断方向における力は、法線方向における力に対して垂直である。複数の付着要素５４に対する剪断方向における合力は、以下の式によって表される：
【数３】
0006446471.tif 000004
【００４６】
上で論じたように、ステントは、食道内に植え込まれ得る。食道は、以下の式によって特徴付けられる圧力を有する：
【数４】
0006446471.tif 000005
【００４７】
以下の式は、通常吸気中の食道内圧を特徴付ける：
【数５】
0006446471.tif 000006
【００４８】
以下の式は、強制吸気中の食道内圧を特徴付ける：
【数６】
0006446471.tif 000007
Ｐａｔｍｏｓｐｈｅｒｉｃ＝７６０ｍｍＨｇ＝１０１，３２５Ｐａであるので、Ｐｉｎｔｒａ−ｅｓｏｐｈａｇｅａｌ≒１０５Ｐａである。
【００４９】
付着要素の内部の（例えば、付着要素の凹面の内部の）圧力が食道内圧に対して無視できる程度と見なされる場合、ΔＰ≒１０５Ｐａである。付着要素の内部の圧力が管内の圧力に対して無視できる程度であるという仮定は、ステント移動に抵抗すると推定される力に上界を提供する。
【００５０】
例えば、上記に基づくと、食道に植え込まれ、かつ、１００ｍｍの長さと、１８ｍｍの直径と、幅ｄが１．０ｍｍで間隔ｓが２．０ｍｍの付着要素のアレイとを有する体内人工器官は、以下の式によって特徴付けることができる：
１．体内人工器官の長さに沿った付着要素の数（ｎＬ）：
【数７】
0006446471.tif 000008
２．体内人工器官の周囲に沿った付着要素の数（ｎＣ）：
【数８】
0006446471.tif 000009
３．付着要素の総数（ｎ）：
【数９】
0006446471.tif 000010
４．法線方向における合力：
【数１０】
0006446471.tif 000011
５．剪断方向における合力（ステント移動に抵抗する力）
【数１１】
0006446471.tif 000012
【００５１】
これらの因子および式は、体内人工器官を体内管腔（例えば、血管等）の固有の構造特徴、および所望の係合またはかみ合いの程度に合わせるために使用することができる。さらに、上で論じたように、組織内殖が、係合またはかみ合いの程度を向上させ得る。したがって、付着要素の幅ｄ、数、および間隔ｓは、所望の植込み部位において所望の装置固定の水準を得るように選択することができる。
材料；治療剤
ポリマー・カバー５０のための材料に関しては、材料は、付着要素が内腔壁とともに部分真空を生成する上で十分に柔軟であり、かつ、ポリマー・カバー５０を作成する工程に耐えられることが、重要である。例えば、材料は、付着要素が内腔壁に押し付けられたときに付着要素の凹面と内腔壁との間の空間の体積が減少して部分真空を形成するように、十分に柔軟であることが必要とされる。許容可能な材料の例は、柔軟なシリコーン、ポリウレタン、スチレン−ブロック−イソブチレン−ブロック−スチレン（ＳＩＢＳ：ｓｔｙｒｅｎｅ−ｂｌｏｃｋ−ｉｓｏｂｕｔｙｌｅｎｅ−ｂｌｏｃｋ−ｓｔｙｒｅｎｅ）、ヒドロゲル、粘膜付着性基質（ｍｕｃｏａｄｈｅｓｉｖｅ  ｓｕｂｓｔｒａｔｅ）、感圧接着剤、および、合成ゴムなどの他の適切なエラストマを含むが、これらに限定されない。他の許容可能な材料は、柔軟で生体適合性がありかつ非生物分解性の任意のポリマーを含む。少なくとも１つの実施形態では、ポリマー・カバー５０は、少なくとも１種の治療剤を含む。他の実施形態では、治療剤を含む被覆がポリマー・カバー５０に付けられ得る。治療剤は、薬物、または非遺伝因子、遺伝因子、細胞物質、等のような他の製剤製品であってもよい。適切な非遺伝的治療剤のいくつかの例は、ヘパリン、ヘパリン誘導体、血管細胞成長促進剤、成長因子阻害剤、パクリタキセル、エベロリムス、等のような抗血栓剤を含むが、これらに限定されない。薬剤が遺伝的治療剤を含む場合、そのような遺伝的薬剤は、ＤＮＡ、ＲＮＡ、ならびにそれらそれぞれの誘導体および／または成分、ヘッジホッグタンパク質、等を含み得るが、これらに限定されない。治療剤が細胞物質を含む場合、細胞物質は、ヒト由来および／または非ヒト由来の細胞、ならびにそれらそれぞれの成分および／またはその誘導体を含み得るが、これらに限定されない。
【００５２】
好ましい実施形態では、外方延在付着要素５４およびベース５２は、同一の材料から形成される。１つまたは複数の実施形態では、外方延在付着要素５４は、１種の材料から形成され、ベース５２は、異なる材料から形成される。１つまたは複数の実施形態では、外方延在付着要素５４は、材料の層を有して形成され、それらの層は、所望される体内人工器官と血管壁との係合に必要な特性に応じて、同一の材料である場合もあれば異なる材料である場合もある。内方延在付着要素の場合、ベース５２は付着要素を形成し、そのためベース５２の材料は、付着要素の材料である。
回収要素
体内人工器官２０は、患者の内腔に挿入された際の組織壁との係合が向上されているので、体内人工器官の除去は、一部の従来の除去技法ではより困難になり得る。図１に示された少なくとも１つの実施形態では、体内人工器官２０は、ステントの一方の端部上に、縫合糸または除去ループ５５を備える。少なくとも１つの実施形態では、除去ループ５５は、ステントの遠位端部上に設けられる。本明細書において使用される場合「遠位」という用語は本開示の装置を植え込む施術者から離れる方向を意味し、一方で「近位」という用語は本開示の装置を植え込む施術者に向かう方向を意味することが、留意されるべきである。体内人工器官を除去するための縫合糸または除去ループは、当技術分野でよく知られているが、通常、縫合糸または除去ループは、ステントの近位端部に設けられ、言い換えれば、施術者に最も近い端部に設けられる。この実施形態では、縫合糸または除去ループは、体内人工器官の反対側端部（ステントの遠位端部）に適用される。少なくとも１つの実施形態では、施術者は、体内人工器官の中からループをつかみ、そしてループに軸方向力を加えることにより、体内人工器官の遠位端部が、体内人工器官自体の内腔を通して引っ張られる。したがって、体内人工器官を除去するために、付着要素は、血管壁から引き剥がされ、ステントは、裏返しにされる。他の実施形態では、施術者は、体内人工器官の外から、または体内人工器官の１端部においてループをつかみ得る。
【００５３】
他の実施形態では、体内人工器官は、ステントの両端部に縫合糸または除去ループを備える。１つの実施形態では、近位ループが近位に引っ張られるときに、遠位ループが遠位に押し込められ、それにより体内人工器官が軸方向に延ばされ、したがって体内人工器官の直径が減少する。直径の減少は、体内人工器官の両端から中心（長さに沿った中間点）に向かって漸進する形で引き起こされ得る。理論に束縛されるものではないが、直径の漸進的な減少は、付着要素を逐次的な形で血管腔から係脱させて、回収力を最小限に抑え、したがって血管壁へのいかなる外傷も最小限に抑える。
付着要素を有するポリマー・カバーの製造
付着要素５４を有するカバー５０を製造するために、いくつかの方法を用いることができる。ポリマー・カバー５０は、ステントとは別に成形されて、次いで体内人工器官の外側表面とポリマー・カバーのベースとの間の接着層６０によりステントに接着され得る。ポリマー・カバーを作成するために、微細パターンを反転したものを有する型に、ポリマー材料が注入され得る。また、ポリマー材料は、真空ポンプ・システムを使用して、型を通して引っ張られてもよい。少なくとも１つの実施形態では、ポリマー・カバーは、ソフト・リソグラフィ技法を使用して作成され得る。１つまたは複数の実施形態では、カバーを作成するためにエッチング技法が使用され得るが、この場合、ポリマー・カバー５０の微細パターンを作成するために、カバー材料の層から材料が取り除かれる。さらに別の実施形態では、熱エンボス加工と呼ばれる技法が使用される場合があり、この技法は、部分的に硬化したポリマーを所望のポリマー・カバーの形状に圧搾する工程と、次いでそれをステントに取り付ける前に硬化させる工程とを伴う。圧搾は、溶媒の使用を含む場合もあればそうでない場合もある。
【００５４】
少なくとも１つの実施形態では、図７に示されるように、カバー５０は、カバーのベースによって画定された内腔を含む実質的に管状の構造として成形され得る。ステント、またはカバーのベースの内側表面の少なくとも一部分のいずれかに、接着層６０が取り付けられ得る。少なくとも１つの実施形態では、接着層６０は、カバーのベースの内側表面全体を実質的に覆うことができる。ステント４０は、カバー５０の内腔に挿入され得る。少なくとも１つの実施形態では、接着層６０を介したステント４０へのカバー５０の適切な接着を確実とするために、熱および／または圧力が加えられ得る。接着層は、シリコーン被覆、他の適切な接着剤、または金属製ステント（または金属製ステント上のステント被覆）へのカバーの接着を可能にする下塗り溶液を含み得る。
【００５５】
１つまたは複数の実施形態では、図８に示されるように、カバー５０は、管状構造として成形されるのではなく、ステント４０の外側表面４４に付着されるストリップとして成形され得る。いくつかの実施形態では、ストリップは、ステントの周囲の少なくとも一部分の周りに円周方向に付着される周囲ストリップとして適用され得る。いくつかの実施形態では、ストリップは、長手方向においてステントに付着される長手方向ストリップとされ得る。いくつかの実施形態では、カバーは、図８に示されるように、ステントに螺旋状に巻き付けられ得る。いくつかの実施形態では、カバーは、単一のストリップまたは複数のストリップとして適用され得る。カバーが複数のストリップとして適用される場合、直接隣り合う各ストリップは、互いに当接していてもよく、または互いに離間していてもよい。少なくとも１つの実施形態では、ストリップは、ステントの長さに沿って延在するがステントの周囲の一部分のみを覆う、部分的に管状の構造であり得る。いくつかの実施形態では、ステント４０の一部分が露出され得る。ステント、またはカバーのベースの少なくとも一部分のいずれかに、接着層６０が取り付けられ得る。少なくとも１つの実施形態では、接着層６０を介したステント４０へのカバー５０の適切な接着を確実とするために、熱および／または圧力が加えられ得る。少なくとも１つの実施形態では、別々の付着要素の微細パターンが、ステント４０もしくはポリマー・カバー５０のどちらかに形成されかつ／またはステント４０もしくはポリマー・カバー５０のどちらかに直接付着され得る。
【００５６】
１つまたは複数の実施形態では、ポリマー・カバー５０は、カバー５０をステント４０に接続するための追加の接着層を必要とせずに、ステント４０をカバー材料に浸漬被覆することによって形成され得る。例えば、ステント４０は、空洞および管状部材を含む型に挿入され得る。空洞は、所望の微細パターンを反転したものである型の内壁によって画定される。ステント４０は、ステントの内側表面が管状部材の周りに配置されるように、管状部材上に位置する。ステント４０を含む型は、カバー材料が型を満たしてステント４０に付着するように、カバー材料に浸漬され得る。いくつかの実施形態では、カバー材料を硬化させるために、温度変化および／または圧力変化が型に適用され得る。カバー材料が硬化してポリマー・カバー５０を形成すれば、体内人工器官２０を型から取り出すことができる。あるいは、ポリマー・カバー５０は、同様の型を使用して、ステント上に射出成形されてもよい。型がカバー材料に浸漬されるのではなく、カバー材料が型に注入される。
例
本開示のいくつかの例示的な実施形態に関する説明が、以下の番号付けされた記述に含まれる。
【００５７】
記述１．  内腔を画定する内側表面、外側表面、第１の端部、第２の端部、および内側表面と外側表面との間に画定された厚さを有するステントであって、厚さを貫通して延在する複数の開口部を有するステントと、
ステントの外側表面上のポリマー・カバーであって、ベースおよび付着要素からなり、付着要素が微細パターンに配置され、ベースがステントの開口部のうちの少なくともいくつかを覆うポリマー・カバーと、
からなる体内人工器官。
【００５８】
記述２．  非拡張状態から拡張状態へと拡張可能である、記述１に記載の体内人工器官。
記述３．  壁を有する体内管腔内で、付着要素の微細パターンが、壁と体内人工器官との間に所望のかみ合いを生じさせる力を印加する、記述１または２に記載の体内人工器官。
【００５９】
記述４．  付着要素が外方延在付着要素である、記述１乃至３のいずれか１つに記載の体内人工器官。
記述５．  各外方延在付着要素が、幅および高さを有する、記述４に記載の体内人工器官。
【００６０】
記述６．  外方延在付着要素が切頭円錐である、記述１乃至５のいずれか１つに記載の体内人工器官。
記述７．  付着要素の幅が約５０μｍから約５００μｍである、記述５または６のいずれか１つに記載の体内人工器官。
【００６１】
記述８．  付着要素が５００μｍの最大幅を有する、記述５または６のいずれか１つに記載の体内人工器官。
記述９．  付着要素が５０μｍの最小幅を有する、記述５または６のいずれか１つに記載の体内人工器官。
【００６２】
記述１０．  付着要素の高さが幅の２０〜５０％である、記述５乃至９のいずれか１つに記載の体内人工器官。
記述１１．  外方延在付着要素が凹状端部を有する、記述５乃至１０のいずれか１つに記載の体内人工器官。
【００６３】
記述１２．  凹状端部が凹状表面深さを有する、記述１１に記載の体内人工器官。
記述１３．  凹状表面深さが幅の１０〜２０％である、記述１２に記載の体内人工器官。
【００６４】
記述１４．  外方延在付着要素が、ベースから斜角で延在する側面を有する、記述５乃至１３のいずれか１つに記載の体内人工器官。
記述１５．  斜角が約３０度から約７５度である、記述１４に記載の体内人工器官。
【００６５】
記述１６．  外方延在付着要素が、５０μｍから５００μｍの範囲から選択された幅と、幅の２０〜５０％である高さと、幅の１０〜２０％である凹状表面深さと、３０度から７５度の範囲から選択された角度θとを有する切頭円錐である、記述１乃至４のいずれか１つに記載の体内人工器官。
【００６６】
記述１７．  外方延在付着要素が、３４．２μｍの高さと、９１．５μｍの幅と、１２．４μｍの凹状表面深さと、６３．９°の角度とを有する切頭円錐である、記述１乃至４のいずれか１つに記載の体内人工器官。
【００６７】
記述１８．  付着要素が内方延在付着要素である、記述１乃至３のいずれかに記載の体内人工器官。
記述１９．  内方延在付着要素が、クレータ、細孔、およびそれらの組み合わせからなる群から選択される、記述１８に記載の体内人工器官。
【００６８】
記述２０．  内方延在付着要素が、最大でポリマー・カバーのベースの厚さに等しい深さを有する、記述１８に記載の体内人工器官。
記述２１．  深さがベースの厚さ未満である、記述２０に記載の体内人工器官。
【００６９】
記述２２．  深さがベースの厚さに等しい、記述２０に記載の体内人工器官。
記述２３．  内方延在付着要素が、約５０μｍから５００μｍの幅を有する、記述１９乃至２２のいずれか１つに記載の体内人工器官。
【００７０】
記述２４．  ポリマー・カバーがポリマー材料である、記述１乃至２３のいずれか１つに記載の体内人工器官。
記述２５．  ポリマー材料が弾性を有する、記述２４に記載の体内人工器官。
【００７１】
記述２６．  ポリマー材料がシリコーンからなる、記述２４または２５のいずれか１つに記載の体内人工器官。
記述２７．  微細パターンが、格子パターン、矩形アレイ、正ｎ角形アレイ、螺旋形、およびそれらの組み合わせからなる群から選択される、記述１乃至２６のいずれか１つに記載の体内人工器官。
【００７２】
記述２８．  付着要素が、横列および縦列に整列される、記述１乃至２６のいずれか１つに記載の体内人工器官。
記述２９．  横列および縦列が、互いに直角に交わる、記述２８に記載の体内人工器官。
【００７３】
記述３０．  横列および縦列が、互いに対して斜角で位置する、記述２８に記載の体内人工器官。
記述３１．微細パターン内の付着要素が、１２０μｍ、１３０μｍ、１４０μｍ、および１５０μｍからなる群から選択された間隔を有する、記述１乃至３０のいずれか１つに記載の体内人工器官。
【００７４】
記述３２．  間隔が一様である、記述１乃至３１のいずれか１つに記載の体内人工器官。
記述３３．  間隔が一様ではない、記述１乃至３１のいずれか１つに記載の体内人工器官。
【００７５】
記述３４．  付着要素の全てが外方延在付着要素である、記述１乃至１７のいずれか１つに記載の体内人工器官。
記述３５．  付着要素の全てが内方延在付着要素である、記述１乃至３および１９乃至３３のいずれか１つに記載の体内人工器官。
【００７６】
記述３６．  付着要素が、外方延在付着要素および内方延在付着要素からなる、記述１乃至３５のいずれか１つに記載の体内人工器官。
記述３７．  その遠位端部に回収要素をさらに含む、記述１乃至３６のいずれか１つに記載の体内人工器官。
【００７７】
記述３８．  その近位端部に回収要素をさらに含む、記述３７に記載の体内人工器官。
記述３９．  ポリマー・カバーが、ステントの外側表面上の螺旋状ストリップである、記述１乃至３８のいずれか１つに記載の体内人工器官。
【００７８】
記述４０．  ポリマー・カバーが、管状であり、かつ、ステントの長手方向長さに等しい長手方向長さを有する、記述１乃至３８のいずれか１つに記載の体内人工器官。
記述４１．  体内人工器官を製造する方法であって、
ベースおよび微細パターンに配置された付着要素からなるポリマー・カバーを形成する工程と、
内腔を画定する内側表面、および外側表面を有するステントを用意する工程と、
ポリマー・カバーのベースをステントの外側表面に接着する工程と、
からなる方法。
【００７９】
記述４２．  ポリマー・カバーが、微細パターンを反転したものを有する型を使用し、その型にポリマー材料を注入して形成される、記述４１に記載の方法。
記述４３．  付着要素が、外方延在付着要素、内方延在付着要素、およびそれらの組み合わせからなる群から選択される、記述４１に記載の方法。
【００８０】
記述４４．  ベースの表面およびステントの外側表面のうちの少なくとも１つに接着層が取り付けられる、記述４１乃至４３のいずれか１つに記載の方法。
記述４５．  ポリマー・カバーが、ストリップに形成されて、ステントの外側表面に螺旋状に巻き付けられる、記述４１乃至４４のいずれか１つに記載の方法。
【００８１】
記述４６．  ポリマー・カバーが管状である、記述４１乃至４４のいずれか１つに記載の方法。
上記の開示は、例示的なものであって網羅的なものではないことが意図されている。この説明は、多くの変形形態および代替形態を当業者に示唆するであろう。全てのそのような代替形態および変形形態は、特許請求の範囲に記載の範囲に含まれることが意図され、特許請求の範囲では、「からなる（ｃｏｍｐｒｉｓｉｎｇ）」という用語は、「含むが、それに限定されない（ｉｎｃｌｕｄｉｎｇ，  ｂｕｔ  ｎｏｔ  ｌｉｍｉｔｅｄ  ｔｏ）」ことを意味する。当業者は、やはり特許請求の範囲に含まれることが意図されている、本明細書で説明された特定の実施形態に対する他の均等物を認識し得る。
【００８２】
さらに、従属請求項に提示された特定の特徴は、本開示の範囲内において他の方法で互いに組み合わされてもよく、したがって、本開示は、従属請求項の特徴の任意の他の可能な組み合わせを有する他の実施形態も明確に対象とするものと認識されるべきである。
【００８３】
これで、本開示の好ましい実施形態および代替実施形態の説明を終える。当業者は、本明細書に添付された特許請求の範囲に含まれることが意図されている、本明細書で説明された特定の実施形態に対する他の均等物を認識し得る。
【図１】
0006446471.tif 000013
【図２】
0006446471.tif 000014
【図３】
0006446471.tif 000015
【図４】
0006446471.tif 000016
【図５Ａ】
0006446471.tif 000017
【図５Ｂ】
0006446471.tif 000018
【図６Ａ】
0006446471.tif 000019
【図６Ｂ】
0006446471.tif 000020
【図６Ｃ】
0006446471.tif 000021
【図６Ｄ】
0006446471.tif 000022
【図６Ｅ】
0006446471.tif 000023
【図７】
0006446471.tif 000024
【図８】
0006446471.tif 000025
【図９Ａ（１）】
0006446471.tif 000026
【図９Ａ（２）】
0006446471.tif 000027
【図９Ｂ】
0006446471.tif 000028